(57)【特許請求の範囲】
【請求項１】
時分割複信（ＴＤＤ）無線通信ネットワークにおいて基準信号を受信するユーザ機器における方法であって、前記方法は、
基地局から、６：６：２の特別なサブフレーム構成設定を特徴にする時間と周波数の直交周波数分割多重（ＯＦＤＭ）グリッドに従って、復調基準信号（ＤＭＲＳ）ベースのフォーマットで、基準信号を受信する工程（３０）を有し、
ＤＭＲＳパターンは、４つの連続するＯＦＤＭシンボルの間に拡がっていることを特徴とする方法。
【請求項２】
ダウンリンクサブフレームの数は、最大で６つであることを特徴とする請求項１に記載の方法。
【請求項３】
前記ＤＭＲＳパターンは、最新の４つの時間と周波数のＯＦＤＭ資源に拡がっていることを特徴とする請求項１に記載の方法。
【請求項４】
送信フォーマットが共通基準信号（ＣＲＳ）ベースである場合、前記ＯＦＤＭグリッドはさらに、少なくとも１つの指定された時間と周波数のＯＦＤＭ資源に配置されるパンクチャーしたＣＲＳパターンを有することを特徴とする請求項１に記載の方法。
【請求項５】
前記少なくとも１つの指定された時間と周波数のＯＦＤＭ資源は、最初の２つ、又は、最初の１つの時間と周波数のＯＦＤＭ資源であることを特徴とする請求項４に記載の方法。
【請求項６】
前記パンクチャーしたＣＲＳパターンは、ガード期間と、アップリンクパイロット時間スロットと、物理ダウンリンク共用チャネル領域との内の少なくともいずれかの範囲内に配置されることを特徴とする請求項４又は５に記載の方法。
【請求項７】
前記ＤＭＲＳパターンは、ＣＲＳパターンに対して用いられることが意図される資源要素でパンクチャーし、前記資源要素は前記時間と周波数のＯＦＤＭグリッドにおける前記ＣＲＳパターンを含むことを特徴とする請求項６に記載の方法。
【請求項８】
前記ＣＲＳパターンがＬ１／Ｌ２制御領域において前記ＯＦＤＭグリッドの全ての物理資源ブロックに存在することを想定するために、内部構成設定を提供する工程（３２）をさらに有し、
前記時間と周波数のＯＦＤＭグリッドは、物理ダウンリンク共用制御チャネルでの送信のために割当てられた物理資源ブロックにのみ配置されるＬ１／Ｌ２制御領域の外側にＣＲＳパターンを有することを特徴とする請求項７に記載の方法。
【請求項９】
時分割複信（ＴＤＤ）無線通信ネットワークにおいて基準信号を受信するユーザ機器であって、前記ユーザ機器は、
基地局から、６：６：２の特別なサブフレーム構成を特徴にする時間と周波数の直交周波数分割多重（ＯＦＤＭ）グリッドに従って、復調基準信号（ＤＭＲＳ）ベースのフォーマットで、基準信号を受信するよう構成される無線回路（５１０）を有し、
ＤＭＲＳパターンは、４つの連続するＯＦＤＭシンボルの間に拡がっていることを特徴とするユーザ機器。
【請求項１０】
ダウンリンクサブフレームの数は、最大で６つであることを特徴とする請求項９に記載のユーザ機器。
【請求項１１】
前記ＤＭＲＳパターンは、最新の４つの時間と周波数のＯＦＤＭ資源に拡がっていることを特徴とする請求項９に記載のユーザ機器。
【請求項１２】
送信フォーマットが共通基準信号（ＣＲＳ）ベースである場合、前記ＯＦＤＭグリッドはさらに、少なくとも１つの指定された時間と周波数のＯＦＤＭ資源に配置されるパンクチャーしたＣＲＳパターンを有することを特徴とする請求項９に記載のユーザ機器。
【請求項１３】
前記少なくとも１つの指定された時間と周波数のＯＦＤＭ資源は、最初の２つ、又は、最初の１つの時間と周波数のＯＦＤＭ資源であることを特徴とする請求項１２に記載のユーザ機器。
【請求項１４】
前記パンクチャーしたＣＲＳパターンは、ガード期間と、アップリンクパイロット時間スロットと、物理ダウンリンク共用チャネル領域との内の少なくともいずれかの範囲内に配置されることを特徴とする請求項１２又は１３に記載のユーザ機器。
【請求項１５】
前記ＤＭＲＳパターンは、ＣＲＳパターンに対して用いられることが意図される資源要素でパンクチャーし、前記資源要素は前記時間と周波数のＯＦＤＭグリッドにおける前記ＣＲＳパターンを含むことを特徴とする請求項１４に記載のユーザ機器。
【請求項１６】
前記ＣＲＳパターンがＬ１／Ｌ２制御領域において前記ＯＦＤＭグリッドの全ての物理資源ブロックに存在することを想定するために、内部構成設定を提供するよう構成された処理回路（５２０）をさらに有し、
前記時間と周波数のＯＦＤＭグリッドは、物理ダウンリンク共用制御チャネルでの送信のために割当てられた物理資源ブロックにのみ配置されるＬ１／Ｌ２制御領域の外側にＣＲＳパターンを有することを特徴とする請求項１５に記載のユーザ機器。
【発明の詳細な説明】
【技術分野】
【０００１】
ここで呈示される実施例はＬＴＥ−ＴＤＤベースのシステムとＴＤ−ＳＣＭＡベースのシステムの両方に対して互換性のある基準信号の設計に関するものである。
【背景技術】
【０００２】
ユーザ機器（ＵＥ）のような通信機器は、しばしば、電波通信ネットワーク、移動体通信システム、無線通信ネットワーク、無線通信システム、セルラ無線システム、又は、セルラシステムとしても言及される無線通信システムにおいて無線通信を行うことが可能になっている。その通信は、無線通信ネットワーク内に含まれる、例えば、２つのユーザ機器の間と、ユーザ機器と通常の電話との間と、ユーザ機器と無線アクセスネットワーク（ＲＡＮ）とそしておそらくは１つ以上のコアネットワークを介したサーバとの間との内の少なくともいずれかの間で実行される。
【０００３】
ユーザ機器はまた、いずれかの例を挙げて言うと、例えば、移動体端末、無線端末と移動局との内の少なくともいずれか、移動体電話、セルラ電話、或いは、無線通信能力を備えたラップトップとしても知られている。本願の文脈では、ユーザ機器では、例えば、携帯型、ポケット収納型、ハンドヘルド型、コンピュータ収納型、又は、車両搭載型の移動体機器であるかもしれず、それらは、ＲＡＮを介して他のエンティティと、音声とデータとの内の少なくともいずれかを通信を行うことが可能になっている。
【０００４】
無線通信ネットワークは、複数のセル領域へと分割される地理的な領域をカバーしている。各セル領域は基地局（ＢＳ）のようなネットワークノード、例えば、用いられる技術と用語に依存して、ｅＮＢ、ｅノードＢ、ノードＢ、Ｂノード、又は、基地トランシーバ局（ＢＴＳ）としても参照される無線基地局（ＲＢＳ）によってサービスを受けている。基地局は、送信電力とそれ故にセルサイズとに基づいて、例えば、マクロｅノードＢ、ホームｅノードＢ、又は、ピコ基地局のような異なるクラスになっても良い。セルは地理的な領域であり、そこで無線カバレッジが基地局サイトにある基地局によって備えられる。その基地局サイトに位置する１つの基地局は、１つ以上のいくつかのセルにサービスをしても良い。更に、各基地局は１つ以上のいくつかの無線アクセスと通信技術とをサポートするかもしれない。複数の基地局は、その複数の基地局の範囲の中にいる複数の機器と複数の無線周波数で動作する無線インタフェースにより通信を行う。
【０００５】
いくつかのＲＡＮにおいて、幾つかの基地局は、例えば、ランドライン又はマイクロ波により、例えば、全球移動体通信システム（ＵＭＴＳ）における無線ネットワーク制御装置（ＲＮＣ）のような無線ネットワーク制御装置に対して接続されるか、又は、それらが互いに接続されるかの内の少なくともいずれかである。例えば、移動通信システム用のグローバルシステム（ＧＳＭ）においてはしばしば基地局制御装置（ＢＳＣ）とも名付けられる、無線ネットワーク制御装置はそこに接続される複数の基地局の種々のアクティビティを管理監督し調整する。
【０００６】
第３世代パートナーシッププロジェクト（３ＧＰＰ）ロングタームエボルーション（ＬＴＥ）において、ｅノードＢ又はｅＮＢとして言及される基地局は、直接に１以上のコアネットワークと接続される。ＵＭＴＳは第３世代の移動体通信システムであり、それはＧＳＭから発展したものであり、そしてそれは広帯域符号分割多重接続（ＷＣＤＭＡ）アクセス技術に基づいて改善された移動体通信サービスを提供することが意図されている。ＵＭＴＳ陸上無線アクセスネットワーク（ＵＴＲＡＮ）は本質的には、複数のユーザ機器に対して広帯域符号分割多重接続を用いた無線アクセスネットワークである。３ＧＰＰは、ＵＴＲＡＮとＧＳＭとに基づいた無線アクセスネットワーク技術をさらに発展させる作業に着手している。
【０００７】
複数のアンテナを用いた技術は、現代の無線通信システムにおける重要な技術要素である。マルチアンテナ技術を可能にする１つの要素は、送信器又は受信器におけるチャネル状態情報の取得である。一般に、そのチャネルは予め定義されたトレーニングシーケンスを通して推定される。その予め定義されたトレーニングシーケンスは、文献ではしばしば基準信号として言及される。基準信号はデータ復調と共にチャネル品質測定を行うために用いられ、スケジューリングとリンクアダプテーションとをサポートする。ＯＦＤＭベースのシステムに関して、基準信号の典型的な設計は、知られた基準シンボルをＯＦＤＭの時間−周波数グリッドを挿入することである。上述の原理に従えば、いくつかのダウンリンク基準信号は既にＬＴＥとその進展において定義がなされている。
【０００８】
ダウンリンク基準信号の例は、（例えば、送信モード１〜６について）３ＧＰＰリリース８においてデータ復調とチャネル品質測定の両方を目標としたセル固有の基準信号（ＣＲＳ）である。別の例は、データ復調を目標としたユーザ機器固有の基準信号（例えば、復調基準信号（ＤＭＲＳ））である。更なる例は、（必要なときのＣＱＩ／ＰＭＩ／ＲＩレポートなどに関する）ＣＳＩ推定を目標としたチャネル状態情報基準信号（ＣＳＩ−ＲＳ）である。
ＬＴＥ−ＴＤＤに関してＣＲＳとＤＭＲＳとの内、少なくともいずれかを収容するために提案された特別なサブフレームの構成設定の例は、サムソンによる“ＬＴＥ−ＴＤＤのための付加的な特別のサブフレーム構成設定（Additional Special Subframe Configuration for LTE TDD）”（３ＧＰＰドラフト；Ｒ１−１２１６５１、第３世代パートナーシッププロジェクト（３ＧＰＰ）、モバイルコンピーテンスセンタ；６５０、ルート  デス  ルシオレス；Ｆ−０６９２１  ソフィア−アンチポリス  セデックス、フランス，ｖｏｌ．ＲＡＮ  ＷＧ１，チェジュ島、韓国；２０１２０３２６−２０１２０３３０、２０１２年３月２１日）と、エリクソンによる“ＬＴＥ−ＴＤＤのための付加的な特別のサブフレーム構成設定についての検討（Discussion on Additional Special Subframe Configuration for LTE TDD）”（３ＧＰＰドラフト；Ｒ１−１２１４０２、第３世代パートナーシッププロジェクト（３ＧＰＰ）、モバイルコンピーテンスセンタ；６５０、ルート  デス  ルシオレス；Ｆ−０６９２１  ソフィア−アンチポリス  セデックス、フランス，ｖｏｌ．ＲＡＮ  ＷＧ１，チェジュ島、韓国；２０１２０３２６−２０１２０３３０、２０１２年３月２０日）とにおいて、以前に開示されている。これらの文献は、ここで開示される主題の一般的な理解に有用である。
【発明の概要】
【０００９】
ＬＴＥ−ＴＤＤベースのシステムとＴＤ−ＳＣＤＭＡベースのシステムとの間で共存する要件と互換性のある基準信号の設計を提供するというニーズがある。現存するＴＤ−ＳＣＤＭＡネットワークに隣接する搬送波でＬＴＥ−ＴＤＤネットワークを展開するとき、ＴＤＤ  ＤＬ／ＵＬ構成設定と特別なサブフレーム構成設定とが、ＴＤ−ＳＣＤＭＡシステムからの干渉とＴＤ−ＳＣＤＭＡシステムへの干渉が回避されるように同期がとられる必要がある。基準信号の設計は、チャネル推定と内挿のためにも適していなければならない。従って、ここで呈示される実施例は，ＤＭＲＳベースのＰＤＳＣＨ送信のために基準信号の設計を備えるために用いられても良い。ここで、ＤｗＰＴＳのためのＣＲＳは制御領域内に閉じた領域に保持される一方、ＤｗＰＴＳのためのＤＭＲＳは最大で４つのＯＦＤＭシンボルに拡がる。それ故に、元々はＣＲＳのために予約された位置は、新しいＤＭＲＳパターンにより占有されるかもしれない。
【００１０】
ここで呈示される実施例の少なくとも１つの利点は、ＣＲＳとＤＭＲＳベースの送信の柔軟なサポートに予め定義された基準信号の設計を提供することにある。さらなる利点は、いくつかの実施例に従えば、付加的な上位レイヤでのシグナリングが基準信号の設計のために要求されないことである。更に、実施例は改善されたＤＭＲＳ密度を提供し、これによってＰＤＳＣＨ性能を改善する。別の利点の例は、その実施例によりＤｗＰＴＳのためにＰＤＳＣＨで最大８レイヤ送信のサポートを可能にしている点である。さらにその上、ＤＭＲＳベースの送信における不必要なＣＲＳのオーバヘッドを回避することができる。
【００１１】
従って、実施例のいくつかは、時間分割複信（ＴＤＤ）無線通信ネットワークにおいて基準信号を送信する基地局における方法に関するものである。その方法は、ユーザ機器にデータ送信を行うための送信フォーマットを決定することにより特徴づけられる。その方法はさらに、その送信フォーマットが復調基準信号（ＤＭＲＳ）ベースであれば、ユーザ機器に対して、６：６：２のタイミング比をもつ特別なサブフレーム構成設定を特徴にする時間と周波数の直交周波数分割多重（ＯＦＤＭ）グリッドに従って基準信号を送信することによっても特徴付けられる。ここで、ＤＭＲＳパターンは、４つの時間と周波数のＯＦＤＭ資源の間に拡がっている。
【００１２】
実施例のいくつかは、ＴＤＤ無線通信ネットワークにおいて基準信号を送信する基地局に関するものである。その基地局は、ユーザ機器にデータ送信を行うための送信フォーマットを決定するよう構成される処理回路によって特徴づけられる。その基地局はさらに、その送信フォーマットがＤＭＲＳベースであれば、前記ユーザ機器に対して、６：６：２のタイミング比をもつ特別なサブフレーム構成設定を特徴にする時間と周波数のＯＦＤＭグリッドに従って基準信号を送信するよう構成される無線回路によって特徴づけられる。ここで、ＤＭＲＳパターンは、４つの時間と周波数のＯＦＤＭ資源の間に拡がっている。
【００１３】
実施例のいくつかは、ＴＤＤ無線通信ネットワークにおいて基準信号を受信するユーザ機器における方法に関するものである。その方法は、基地局から、６：６：２のタイミング比をもつ特別なサブフレーム構成設定を特徴にする時間と周波数のＯＦＤＭグリッドに従って、ＤＭＲＳベースのフォーマットで、基準信号を受信することにより特徴づけられる。ＤＭＲＳパターンは、４つの時間と周波数のＯＦＤＭ資源の間に拡がっている。
【００１４】
実施例のいくつかは、ＴＤＤ無線通信ネットワークにおいて基準信号を受信するユーザ機器に関するものである。そのユーザ機器は、基地局から、６：６：２のタイミング比をもつ特別なサブフレーム構成設定を特徴にする時間と周波数のＯＦＤＭグリッドに従って、ＤＭＲＳベースのフォーマットで、基準信号を受信するよう構成される無線回路によって特徴づけられる。ＤＭＲＳパターンは、４つの時間と周波数のＯＦＤＭ資源の間に拡がっている。
【００１５】
定義
ＣＱＩ      チャネル品質インジケータ
ＣＲＳ      共通基準信号
ＣＳＩ      チャネル状態情報
ＤＬ        ダウンリンク
ＤＭＲＳ    復調基準信号
ＤｗＰＴＳ  ダウンリンクパイロットタイムスロット
ｅＮＢ      ｅノードＢ
ＧＰ        ガード期間
ＬＴＥ      ロングタームエボルーション
ＭＣＳ      復調符号化方式
ＯＣＣ      直交カバー符号
ＯＦＤＭ    直交周波数分割多重
ＯＳ        ＯＦＤＭシンボル
ＰＤＣＣＨ  物理ダウンリンク制御チャネル
ＰＤＳＣＨ  物理ダウンリンク共用チャネル
ＰＭＩ      プリコーディングマトリクスインジケータ
ＲＥ        資源要素
ＲＩ        ランクインジケータ
ＲＳ        基準信号
ＳＣＤＭＡ  同期符号分割多重接続
ＴＤ        時間分割
ＴＤＤ      時間分割複信
ＵＥ        ユーザ機器
ＵＬ        アップリンク
ＵｐＰＴＳ  アップリンクパイロットタイムスロット
【００１６】
前述の事項は、添付図面に例示したように、次のより特定した実施例の説明から明らかにあるであろう。その図面において、同じ参照記号は異なる視点から見た同じ部分に言及している。その図面は必ずしも同様に縮尺されているものではなく、その代わりに、実施例を図示するに際して、配置されているものを強調しているものである。
【図面の簡単な説明】
【００１７】
【図１】通信システムの実施例を例示するブロック図である。
【図２】ＴＤ−ＳＣＤＭＡベースのシステムとＬＴＥ  ＴＤＤベースのシステムとの間に共通して存在する課題を例示する図である。
【図３Ａ】現存する特別のサブフレームの構成設定３、４、８についてのＤＭＲＳ設計を示す図である。
【図３Ｂ】付加的な特別のサブフレームの構成設定についてのＤＭＲＳ設計を示す図である。
【図４Ａ】いくつかの実施例に従う、セル固有の１つの基準信号に関してＣＲＳベースの基準信号の設計を示す図である。
【図４Ｂ】いくつかの実施例に従う、セル固有の１つの基準信号に関してＤＭＲＳベースの基準信号の設計を示す図である。
【図５Ａ】いくつかの実施例に従う、セル固有の２つの基準信号に関してＣＲＳベースの基準信号の設計を示す図である。
【図５Ｂ】いくつかの実施例に従う、セル固有の２つの基準信号に関してＤＭＲＳベースの基準信号の設計を示す図である。
【図６Ａ】いくつかの実施例に従う、セル固有の４つの基準信号に関してＣＲＳベースの基準信号の設計を示す図である。
【図６Ｂ】いくつかの実施例に従う、セル固有の４つの基準信号に関してＤＭＲＳベースの基準信号の設計を示す図である。
【図７】いくつかの実施例に従う、基地局ノードの構成例を示す図である。
【図８】いくつかの実施例に従う、ユーザ機器ノードの構成例を示す図である。
【図９】いくつかの実施例に従う、図７の基地局によりなされる動作の例を示すフローチャートである。
【図１０】いくつかの実施例に従う、図８のユーザ機器によりなされる動作の例を示すを示すフローチャートである。
【発明を実施するための形態】
【００１８】
次の説明では、限定的ではなく説明の目的のために、特定の構成、要素、技術などのような具体的な詳細が説明され、実施例の完全な理解を提供している。しかしながら、実施例がこれら具体的な詳細から逸脱した方法で実施されても良いことは当業者には明らかである。他のインスタンスにおいては、公知の方法、及び構成要素の詳細な説明は、実施例の説明をあいまいなものにしないように省略されている。ここで用いられている用語は、実施例を説明するためのものであり、ここで呈示された実施例に限定することを意図しているものではない。
【００１９】
ここで呈示される実施例のより良い説明を提供するために、まず課題について識別し検討する。図１は模式的に無線通信システム１００の実施例を図示している。無線通信システム１００は３ＧＰＰ通信システムでも良いし、３ＧＰＰではない通信システムであっても良い。無線通信システム１００は１つ以上の無線通信ネットワーク（不図示）を有する。各無線通信ネットワークは、１つ以上の無線アクセス技術（ＲＡＴ）をサポートするよう構成される。さらに、１つ以上の無線通信ネットワークは、異なるＲＡＴをサポートするよう構成される。ＲＡＴのいくつかの例は、ＧＳＭ、ＷＣＤＭＡ、ＬＴＥである。
【００２０】
無線通信システム１００は、基地局４０１のような無線ネットワークノードを有する。基地局４０１は、ｅＮＢ、ｅノードＢ、ノードＢ、ホームノードＢ、無線ネットワーク制御装置、基地局制御装置、アクセスポイント、中継局（固定式であっても良く、移動式であっても良い）、中継局にサービスを行うドナーノード、ＧＳＭ／ＥＤＧＥ無線基地局、マルチスタンダード無線（ＭＳＲ）基地局、又は、セルラ通信システム１００においてユーザ機器にサービスを行うことが可能な何らかの他のネットワークユニットのような基地局である。
【００２１】
さらに、基地局４０１は、無線通信システム１００に含まれるアクセスノード（不図示）の一例である。基地局４０１は、少なくとも１つの地理的な領域１０４にわたる無線カバレッジを提供する。無線通信システム１００はさらに、例えば、ユーザ機器５０５Ａ、５０５Ｂのような任意の数のユーザ機器を含む。ユーザ機器５０５Ａ、５０５Ｂはセル１０４内に位置し、基地局４０１によりサービスを受ける。ユーザ機器５０５Ａ、５０５Ｂはアップリンク（ＵＬ）送信において基地局４０１に対して無線インタフェースによりデータを送信し、基地局４０１はダウンリンク（ＤＬ）送信においてユーザ機器５０５Ａ、５０５Ｂに対してデータを送信する。
【００２２】
図１に図示されるシステムのような無線通信システムに対する１つの重要な考察は、送信器又は受信器におけるチャネル状態情報の取得である。チャネル状態情報の取得において、基準信号がデータ復調とともにチャネル品質測定のために用いられてネットワークにおける種々のユーザ機器に対するスケジューリングとリンクアダプテーションとをサポートする。ＯＦＤＭベースのシステムに関し、現在は、通常の循環プレフィックス（ＣＰ）に対して定義される９つの特別なサブフレーム構成設定があり、拡張ＣＰに対して定義された７つの特別なサブフレーム構成設定があり、異なる長さのダウンリンクパイロット時間スロット（ＤｗＰＴＳ）と、ガード期間（ＧＰ）と、アップリンクパイロット時間スロット（ＵｐＰＴＳ）を備える。通常のＣＰに関し、ＰＤＳＣＨでの送信は、３つのＯＦＤＭシンボルに拡がるＤｗＰＴＳ、例えば、構成設定０と構成設定５に対してはサポートされていない。ＰＤＳＣＨ送信は、９〜１１個のＯＦＤＭシンボルに拡がるＤｗＰＴＳを備える残り全ての構成設定に対してサポートされる。
【００２３】
ＤｗＰＴＳにおいてＣＲＳベースのＰＤＳＣＨでの送信をサポートするために、ＧＰとＵｐＰＴＳとを有するシンボル（例えば、シンボル７〜１４）がパンクチャー又は削除されるので、特別のサブフレームにおけるＣＲＳ密度は、時間領域では減少する。例えば、２つのアンテナポートに構成設定されたＣＲＳを備えた通常のＣＰに対する場合を考慮しよう。１２個のＯＦＤＭシンボルに拡がるＤｗＰＴＳを備えた構成設定４に関し、４ストリップＣＲＳが用いられる。９〜１１個のＯＦＤＭシンボルに拡がるＤｗＰＴＳを備えた構成設定１、２、３、６、７、８に関し、３ストリップＣＲＳが用いられる。
【００２４】
ＤｗＰＴＳにおいてＤＭＲＳベースのＰＤＳＣＨでの送信をサポートするために、２種類のＤＭＲＳパターンが定義される。１つのＤＭＲＳパターンは９〜１０個のＯＦＤＭシンボルに拡がるＤｗＰＴＳに対するもので、もう１つのＤＭＲＳパターンは１１〜１２個のＯＦＤＭシンボルに拡がるＤｗＰＴＳに対するものである。ＤＭＲＳパターンに対する設計原理は、時間領域においてＤＭＲＳをできる限り拡張し、チャネル推定性能が最適化され、それ故にＰＤＳＣＨ復調性能が向上するようにすることである。
【００２５】
ＬＴＥ−ＴＤＤに対する付加的な特別のサブフレームの構成設定についての作業項目がＲＡＮの全体会議＃５５“ＬＴＥ−ＴＤＤに対する付加的な特別のサブフレームの構成設定（Additional special subframe configuration for LTE TDD）”、ＣＭＣＣ、ＲＡＮ＃５５におけるＲＰ−１２０３８４で承認された。その動機付けはＬＴＥ−ＴＤＤとＴＤ−ＳＣＤＭＡとの間での共存要求に発するものである。現存するＴＤ−ＳＣＤＭＡネットワークに隣接する搬送波でＬＴＥ−ＴＤＤを展開するとき、ＴＤＤ  ＤＬ／ＵＬの構成設定と特別なサブフレームの構成設定とは、ＴＤ−ＳＣＤＭＡベースのシステムに対する干渉とＴＤ−ＳＣＤＭＡベースのシステムからの干渉が回避されるように同期されるべきである。
【００２６】
図２はＴＤ−ＳＣＤＭＡベースのシステムとＬＴＥ−ＴＤＤベースのシステムとの間で共存する課題の例を図示的に提供している。図２は２つのサブフレームを図示している。図２の上側のサブフレームは、ＴＤ−ＳＣＤＭＡ  ５ＤＬ／２ＵＬ  サブフレーム構成設定の例である。５ＤＬ／２ＵＬでのＴＤ−ＳＣＤＭＡ構成設定は広く今日のネットワークで用いられている。図２の下側のサブフレームは、特別のサブフレーム構成設定５を備え３ＤＬ／１ＵＬを特徴とするＬＴＥ−ＴＤＤ構成設定２の例であり、ＤｗＰＴＳは３ＯＳでありＵｐＰＴＳは２ＯＤ（ＤｗＰＴＳ：ＧＰ：ＵｐＰＴＳ＝３：９：２）である。ＰＤＳＣＨでの送信は、図２に図示するように、ＬＴＥ−ＴＤＤに対する特別なサブフレームでは可能ではないことを認識すべきである。先に説明したように、ＰＤＳＣＨでの送信は、図２の下側のサブフレームに対する場合のように、３つのＯＦＤＭシンボルに拡がるＤｗＰＴＳに対してはサポートされない。付加的な特別のサブフレーム構成設定を導入することにより、例えば、通常のＣＰに対しては６：６：２、そして、拡張されたＣＰに対しては５：５：２を導入することにより、共存要求が満たされる一方で、同時にダウンリンクシステムの効率が改善する。
【００２７】
付加的な特別のサブフレーム構成設定に対してＤｗＰＴＳにおいてＰＤＳＣＨでの送信をサポートするために異なる方法があることを認識すべきである。１つの可能なある方法は、ＲＡＮ１＃６６ｂｉｓ“ＵＴＲＡ  ＬＣＲ  ＴＤＤに対する共存問題について（On co-existence issue to UTRA LCR TDD）”、ＣＭＣＣにおけるＲ１−１１３４５７で提案されているように、ＣＲＳベースの送信だけをサポートすることである。この場合、ユーザ機器は、例えば、送信ダイバーシチ、オープンループ／クローズドループの空間多重化のようなＣＲＳベースの送信方式を用いてデータを送信することができる。この代替案の利点は、新しいＤＭＲＳの設計が必要とはされず、従って、標準化技術に対して影響を与えることもない点にある。しかしながら、いくつかの主要な制限がある。
【００２８】
１つの制限の例は、ＣＲＳポート２とポート３の密度が非常に低いために、ランク２よりもランクの高い送信に対する性能が良くないことが予想されることである。このことは特に高速時におけるチャネル推定性能の低さにつながる。別の制限の例は、スペクトラム効率が最適化されない点である。例えば、ユーザ機器が送信モード９（例えば、３ＧＰＰ  リリース１１でのユーザ機器）にあるとき、ＤＭＲＳベースのＰＤＳＣＨでの送信が通常のダウンリンクサブフレームで適用される一方、ユーザ機器がＤｗＰＴＳにおいてダイバーシチ送信を行う（ＤＣＩフォーマット１Ａを用いたダウンリンクスケジュール割当て）場合を考慮しよう。これはＤｗＰＴＳにおけるスペクトラム効率を制限する。
【００２９】
更なる制限の例は、リンクとランクのアダプテーションにおいて潜在的な問題がある点である。基地局はＤｗＰＴＳに対する適切なＭＣＳレベルと通常のサブフレームとを別々に選択しなければならない。そのような選択は、ユーザ機器がＣＲＳ又はＣＳＩ−ＲＳに基づいてＰＭＩ／ＣＱＩ／ＲＩをレポートしているときには困難になる。例えば、基地局において干渉情報なしで、空間多重化に基づいてレポートされたＣＱＩから送信ダイバーシチを行うためのＭＣＳレベルを導出する際に大きな影響をもつストリーム間の干渉を推定することは困難である。上述の観察に基づくと、特別なサブフレームでＤＭＲＳベースのＰＤＳＣＨでの送信をサポートすることは、より良いことである。
【００３０】
ＤＭＲＳパターンが、図３Ａと図３Ｂとで図示されるように、ＲＰ−１２０３８４、“ＬＴＥ−ＴＤＤに対する付加的な特別のサブフレームの構成設定（Additional special subframe configuration for LTE TDD）”、ＣＭＣＣ、ＲＡＮ＃５５において説明された付加的な特別のサブフレームに対して提案された。図３Ａは、現存する特別なサブフレームの構成設定３、４、８に対するＤＭＲＳ設計又はパターンを特徴とする時間と周波数のＯＦＤＭグリッドを図示している。ＯＦＤＭグリッドにおける各垂直列はシンボルである。従って、図３ＡのＯＦＤＭグリッドは、１４個のシンボルをもつことを特徴とし、最も左のシンボルがシンボル１であり、最も右のシンボルがシンボル１４である。図３Ａにおいて、ＤＭＲＳパターンはシンボル３、４、１０、１１に拡がる。
【００３１】
図３Ｂは、付加的な特別のサブフレームの構成設定を図示している。図３Ｂに図示されるように、付加的な特別のサブフレーム構成設定において通常のＣＰに関しては、ＯＦＤＭシンボル７〜１４がパンクチャー又は削除されており、（図３Ａに図示されるように）特別なサブフレーム構成設定３、４、８に対する現在のＤＭＲＳパターンを再利用する。図３Ｂのパンクチャー又は削除されたＯＦＤＭシンボルは灰色の網がけで図示されており、ＤＭＲＳパターンはシンボル３と４に沿ってのみ拡がっている。図３Ｂはまた、シンボル１と５に拡がるＣＲＳパターンを含んでいる。
【００３２】
これは単純で簡単なＤＭＲＳの設計である。しかしながら、幾つかの欠点がある。１つの欠点の例は、チャネル推定の性能が、ＤＭＲＳ密度が低いために良くないことが予期されることである。このことは、ＤＭＲＳパターンがシンボル３と４にだけ拡がる図３Ｂに示されているように、１グループのＤＭＲＳが存在するだけなので、時間的内挿を行うことが不可能であるという事実によるものである。このことはまた、シンボル１と５の複数のＲＥ又はＣＲＳに対する場合にもそうである。別の例の欠点は、このパターンが、直交カバー符号（ＯＣＣ）の長さがわずか２（例えば、ＰＤＳＣＨ領域における時間領域でのＲｅの数は２）であるために、最大で４ストリーム送信しかサポートすることができないことである。
【００３３】
さらにその上、ＣＲＳだけに基づく送信の場合のように、例えば、ＤｗＰＴＳと通常のサブフレームとの間の異なる許された数のストリームでリンク／ランクアダプテーションを行うには類似の難関がある。多くのＰＤＳＣＨでの送信についての異なる仮説を伴うＣＳＩレポートに基づいてストリーム間の干渉を推定することは困難である。更なる欠点の例は、ＤＭＲＳベースの送信が適用されるときであっても、ＣＲＳの付加的なオーバヘッドを避けることができないことである。ｅＮＢにより構成設定された２つのＣＲＳを仮定すると、そのＣＲＳはＰＤＳＣＨに対する復調に何の助けを備えることなく４つの付加的な資源要素を占有してしまう。ＤｗＰＴＳ内のＲＥが制限された数であることを考慮すると、これは資源の浪費である。
【００３４】
従って、ここで呈示したいくつかの実施例では、セル固有の基準信号（ＣＲＳ）に対する設計と復調基準信号（ＤＭＲＳ）に対する設計とを含む、付加的な特別のサブフレーム構成設定に対するダウンリンク基準信号の設計を提供している。ＣＲＳベースのＰＤＳＣＨでの送信の場合、現在のＣＲＳパターンが再利用される一方で、ＧＰとＵｐＰＴＳとを含む時間と周波数のＯＦＤＭグリッドの一部をパンクチャーさせる。ＤＭＲＳベースのＰＤＳＣＨでの送信の場合、ＤｗＰＴＳに対するＣＲＳパターンは、制御領域（ＰＤＣＣＨ）内の時間と周波数のＯＦＤＭグリッドの１ストリップに保持される一方で、ＤｗＰＴＳに対するＤＭＲＳパターンは最大で４つのＯＦＤＭシンボルに拡がる。ＣＲＳのために元々予約された位置もまた新しいＤＭＲＳパターンにより占有されるであろう。
【００３５】
いくつかの実施例に従えば、ＣＲＳベースのＰＤＳＣＨでの送信に関して、ＧＰとＵｓＰＴＳの中にあるセル固有の基準信号はパンクチャーさせられる。制御領域（最初の１つか２つのＯＦＤＭシンボル）にあるセル固有の基準信号がＰＤＣＣＨデコードのために用いられ、また、ＰＤＳＣＨ復調のために残りのストリップとともに合わせて用いられる。
【００３６】
いくつかの実施例に従えば、ＤＭＲＳベースのＰＤＳＣＨでの送信に関して、ＧＰとＵｓＰＴＳとＰＤＳＣＨの領域中にあるセル固有の基準信号はパンクチャーさせられる。例えば、ＤｗＰＴＳに対してＰＤＳＣＨにはセル固有の基準信号はない。制御領域（最初の１つか２つのＯＦＤＭシンボル）にあるセル固有の基準信号がＰＤＣＣＨデコードのために用いられる一方で、ＤＭＲＳパターンは４つのシンボルに拡がり、また、元々はＣＲＳパターンのために予約された位置を占有する。
【００３７】
ＣＲＳベースの送信が用いられるか、又は、ＤＭＲＳベースの送信が用いられるかは、対応するＰＤＣＣＨのＤＣＩフォーマットにより決定される。いくつかの実施例に従えば、ＤＭＲＳパターンとユーザ機器の挙動とを予め定義することにより、基準信号のパターンを示すために付加的な上位レイヤのシグナリングが用いられる必要はない。
【００３８】
図４Ａは、いくつかの実施例に従う、ＣＲＳベースの送信に対するセル固有の１つの基準信号の場合に対する基準信号の設計の例を提供している。図４Ｂは、ＤＭＲＳベースの送信に対するセル固有の１つの基準信号と復調基準信号に対する基準信号の設計の例を図示している。図４Ａ〜図４Ｂの両方に図示されているように、シンボル７〜１４がパンクチャーしている。ＣＲＳベースの送信に対する基準信号の設計は、図４Ａに図示されているように、シンボル１と５に配置されるＣＲＳパターンを特徴とする。ＤＭＲＳパターンについては、図４Ａの同じＣＲＳパターンが利用される。しかしながら、図４Ｂにおいて、ＣＲＳパターンはＯＦＤＭグリッド（最初の２つのシンボル）の制御領域へと制限され、従って、ＣＲＳパターンはシンボル１にのみ含まれる。図４ＢのＤＭＲＳパターンは、ＯＦＤＭグリッドの最後の４つのシンボル、シンボル３〜６に沿って拡げられる。
【００３９】
図５Ａは、いくつかの実施例に従う、ＣＲＳベースの送信に対するセル固有の２つの基準信号の場合に対する基準信号の設計の例を提供している。図５Ｂは、ＤＭＲＳベースの送信に対するセル固有基準信号についてセル固有の２つの基準信号と復調基準信号がある場合に対する基準信号の設計の例を図示している。図４Ａと図４Ｂと同様に、図５Ａと図５Ｂは、パンクチャーされるシンボル７〜１４を特徴としている。ＣＲＳベースの送信に対する基準信号の設計は、図５Ａに図示されているように、シンボル１と５に配置されるＣＲＳパターンを特徴とする。ＤＭＲＳパターンについては、図５Ａの同じＣＲＳパターンが利用される。しかしながら、図５Ｂにおいて、ＣＲＳパターンはＯＦＤＭグリッド（最初の２つのシンボル）の制御領域へと制限され、従って、ＣＲＳパターンはシンボル１にのみ含まれる。図５ＢのＤＭＲＳパターンは、ＯＦＤＭグリッドの最後の４つのシンボル、シンボル３〜６に沿って拡げられる。
【００４０】
図６Ａは、いくつかの実施例に従う、ＣＲＳベースの送信に対するセル固有の３つの基準信号の場合に対する基準信号の設計の例を提供している。図６Ｂは、ＤＭＲＳベースの送信に対するセル固有の基準信号についてセル固有の３つの基準信号と復調基準信号がある場合に対する基準信号の設計の例を図示している。図６Ａと図６Ｂの両方に図示されているように、シンボル７〜１４がパンクチャーしている。ＣＲＳベースの送信に対する基準信号の設計は、図６Ａに図示されているように、シンボル１と２と５に配置されるＣＲＳパターンを特徴とする。ＤＭＲＳパターンについては、図６Ａの同じＣＲＳパターンが利用される。しかしながら、図６Ｂにおいて、ＣＲＳパターンはＯＦＤＭグリッド（最初の２つのシンボル）の制御領域へと制限され、従って、ＣＲＳパターンはシンボル１と２にのみ含まれる。図６ＢのＤＭＲＳパターンは、ＯＦＤＭグリッドの最後の４つのシンボル、シンボル３〜６に沿って拡げられる。
【００４１】
図４Ｂ、図５Ｂ、図６ＢはＯＦＤＭグリッドの同じ周波数又は水平ラインにおける２つのＤＭＲＳペア（例えば、２セットの２つのＤＭＲＳ  Ｒｅｓ）を図示している。従って、周波数シフトはペア間に適用される。いくつかの実施例では、ＤＭＲＳベースの送信データはＣＲＳベースの送信に関しては、ＣＲＳにより占有されるシンボルで送信される。
【００４２】
図４Ａ、図４Ｂ、図５Ａ、図５Ｂ、図６Ａ、図６Ｂは通常のＣＰの場合を図示している。しかしながら、実施例は拡張されたＣＰの場合に対して等しく適用可能であり、５つのシンボルはＤｗＰＴＳに対して利用可能であることを認識すべきである。通常のＣＰに対するＤｗＰＴＳの最後のシンボルは、拡張されたＣＰに対する設計を適用するためにパンクチャーさせられる。
【００４３】
いくつかの実施例に従えば、ＰＤＳＣＨ復調に対して異なるＲＳタイプを用いている２つ以上のユーザ機器は、異なる挙動が予期される同じサブフレームでスケジュールされる。これは、エラーケースと見なされ、基地局の実施形により回避される。それ故に、基地局のスケジューラは、ＰＤＳＣＨ復調に対して異なるＲＳタイプを用いるユーザ機器をスケジュールすることを回避する。この挙動は、ＤＭＲＳがＣＲＳに対して用いられる複数のＲＥではパンクチャーされ、ＣＲＳがその複数のＲＥで送信されるように変形される。ユーザ機器は、例えば、ＯＦＤＭシンボル１と２で例示されるように、ＣＲＳがＬ１／Ｌ２制御領域の全てのＰＲＢに存在することを仮定する。その領域の外側にあるシンボルでは、ＣＲＳは特定のユーザ機器へのＰＤＳＣＨでの送信を行うために割当てられたＰＲＢにだけ存在する。
【００４４】
図７は、上述したいくつかの実施例を組み込む基地局４０１の例を図示している。図７に示されているように、基地局４０１はネットワーク内で何らかの形式の通信又は制御信号を送受信するよう構成された無線回路４１０を有する。無線回路４１０には、任意の数の送受信、受信、送信を行うユニット又は回路が含まれていることが認識されるべきである。さらに、無線回路４１０はこの技術分野では公知の何らかの入力／出力通信ポートの形をとっても良いことが認識されるべきである。無線回路４１０はＲＦ回路とベースバンド処理回路（不図示）とを有する。
【００４５】
基地局４０１はさらに、無線回路４１０との通信を行う少なくとも１つのメモリユニット又は回路４３０を有する。メモリ４３０は、受信又は送信データと実行可能なプログラム命令との内の少なくともいずれかを格納するよう構成される。メモリ４３０はまた、何らかの形式のビームフォーミング情報と基準信号とフィードバックデータ又は情報との内の少なくともいずれかを格納するよう構成される。メモリ４３０は何らかの適切なタイプのコンピュータ可読メモリであり、揮発性又は不揮発性タイプの少なくともいずれかのタイプであっても良い。
【００４６】
基地局４０１はさらに、ネットワーク４４０と、基準信号に関係する命令又は制御信号を生成して提供するよう構成された処理回路４２０とを有する。処理回路４２０はまた、ユーザ機器に対する構成設定命令を提供するよう構成される。処理回路４２０は、何らかの適切なタイプの計算ユニット、例えば、マイクロプロセッサ、デジタル信号プロセッサ（ＤＳＰ）、フィールドプログラマブルゲートウェイ（ＦＰＧＡ）、アプリケーション専用集積回路（ＡＳＩＣ）、又は、他の何らかの形式の回路であっても良い。処理回路は必ずしも単一のユニットとして備えられる必要はなく、任意の数のユニット又は回路として備えられても良い。
【００４７】
図８は、上述したいくつかの実施例を組み込むユーザ機器５０５の例を図示している。図８に示されているように、ユーザ機器５０５はネットワーク内で何らかの形式の通信と制御信号を送受信するように構成された無線回路５１０を有している。無線回路５１０は任意の数の送受信、送信、受信ユニット又は回路として備えられることが認識されるべきである。さらに、無線回路５１０はこの技術分野において公知の何らかの入出力通信ポートの形であっても良いことが認識されるべきである。無線回路５１０は、ＲＦ回路とベースバンド処理回路（不図示）とを有している。
【００４８】
ユーザ機器５０５はさらに、無線回路５１０との通信が可能である少なくとも１つのメモリユニット又は回路５３０を有している。メモリ５３０は、受信又は送信データと、実行可能プログラム命令との内の少なくともいずれかを格納するように構成される。メモリ５３０はまた、何らかの形式のビームフォーミング情報と基準信号とフィードバックデータ又は情報との内の少なくともいずれかを格納するように構成される。メモリ５３０は何らかの適切なタイプのコンピュータ可読メモリであり、そして、揮発性タイプと不揮発性タイプとの内の少なくともいずれかのタイプである。
【００４９】
ユーザ機器５０５はさらに、基地局により提供される基準信号を分析するよう構成される更なる処理回路５２０を有する。処理回路５２０は、例えば、マイクロプロセッサ、デジタル信号プロセッサ（ＤＳＰ）、フィールドプログラマブルゲートウェイ（ＦＰＧＡ）、又は、アプリケーション専用集積回路（ＡＳＩＣ）のような何らかのタイプの計算ユニット、又は、他の何らかの形の回路であるかもしれない。その処理回路は、単一のユニットとして提供される必要はなく、任意の数のユニット又は回路として提供されても良いことを認識されたい。
【００５０】
図９は、いくつかの実施例に従う、基準信号に関係する命令又は制御信号の生成と提供との間に、図７の基地局によりなされる動作例を示すフローチャートである。図９は実線で描かれたいくつの動作と一点鎖線で描かれたいくつかの動作とを有することを認識されたい。実線で描かれた動作は最も広い実施例に含まれる動作である。一点鎖線で描かれた動作は、実線で記した実施例の動作に含まれる動作、又は、実線で記した実施例の動作の一部に含まれる動作、又は、実線で記した実施例の動作に更に加えてなされる動作である。これらの動作は必ずしも順番に実行される必要はないことを認識するべきである。さらにその上、それら動作の全てが実行される必要はないことを認識するべきである。動作は例は任意の順番で、又は、任意の組み合わせで実行可能である。
【００５１】
動作１０
基地局４０１はユーザ機器５０５にデータ送信を行うための送信フォーマットを決定する（１０）よう構成される。処理回路４２０はその送信フォーマットを決定するよう構成される。いくつかの実施例に従えば、その送信フォーマットはＤＭＲＳベースであるか、ＣＲＳベースであるかの内の少なくともいずれかである。
【００５２】
動作例１１
いくつかの実施例に従えば、決定する（１０）ことにはさらに、ダウンリンクシンボルの数が最大で６であることを判断する（１１）ことを含む。処理回路は、ダウンリンクシンボルの数が最大で６であることを判断することができる。いくつかの実施例に従えば、ＤＭＲＳパターンは最新の４つの時間と周波数のＯＦＤＭ資源にわたって拡がっている。図４Ａ〜Ｂから図６Ａ〜Ｂに示されているように、基準信号のために用いられるシンボルの数は６（例えば、シンボル１〜６）である。しかしながら、これは単なる例に過ぎず、任意の数の基準シンボルが用いられても良いことを認識すべきである。さらにその上、図４Ｂ〜６Ｂは最後の４つの時間と周波数の資源、即ち、図示の例ではシンボル３〜６にわたって拡がっているＤＭＲＳパターンを図示していることが認識されるべきである。
【００５３】
いくつかの実施例に従えば、送信フォーマットがまたＣＲＳベースでもある場合、ＯＦＤＭグリッドはさらに、少なくとも１つの指定された時間と周波数のＯＦＤＭ資源に配置されるパンクチャーしたＣＲＳパターンを有する。いくつかの実施例に従えば、その少なくとも１つの指定された時間と周波数のＯＦＤＭ資源は、最初の２つ、又は、最初の１つの時間と周波数のＯＦＤＭ資源であると良い。いくつかの実施例に従えば、そのパンクチャーしたＣＲＳパターンは、ガード期間と、アップリンクパイロット時間スロットと、物理ダウンリンク共用チャネル領域との内の少なくともいずれかの範囲内に配置される。例えば、図４Ｂ〜６Ｂに図示されているように、ＣＲＳパターンは最初の２つのシンボル内にだけ配置される。
【００５４】
動作例１２
いくつかの実施例に従えば、決定する（１０）ことにはさらに、物理ダウンリンク制御チャネルでのダウンリンク制御情報を評価する（１２）ことを含む。処理回路４２０は物理ダウンリンク制御チャネルでのダウンリンク制御情報を評価するよう構成される。
【００５５】
動作１４
基地局４０１はさらに、ユーザ機器５０５に対して、６：６：２のタイミング比をもつ特別なサブフレーム構成を特徴にする時間と周波数のＯＦＤＭグリッドに従って基準信号を送信する（１４）よう構成される。その比は、ＤｗＰＴＳ：ＧＰ：ＵｐＰＴＳとして表現される。ＤＭＲＳパターンは４つの時間と周波数のＯＦＤＭ資源に拡げられている。決定されたフォーマット（例えば、動作１０）がＤＭＲＳベースのフォーマットであるなら送信が発生する。処理回路４２０は、ユーザ機器５０５に対して、６：６：２のタイミング比をもつ特別なサブフレーム構成を特徴にする時間と周波数のＯＦＤＭグリッドに従って基準信号を送信するよう構成される。いくつかの実施例に従えば、送信する（１４）ことは、ダウンリンクシンボルの数が最大で６であると判断された場合に、実行される。
【００５６】
動作例１６
いくつかの実施例に従えば、基地局４０１はさらに、その送信フォーマットが少なくとも１つの他のユーザ機器に対してＣＲＳベースであることを決定するよう構成される。処理回路４２０はそのフォーマットが少なくとも１つの他のユーザ機器に対してＣＲＳベースであることを決定するよう構成される。
【００５７】
動作例１８
いくつかの実施例に従えば、決定する（１６）ことにおいて、基地局４０１はさらに、基地局のスケジューラに関して、物理ダウンリンク共用チャネルでの復調のために異なる基準信号タイプを備えた複数のユーザ機器が異なる時間間隔でスケジュールされるようにエラーケース処理を提供する（１８）よう構成される。処理回路４２０は、そのエラーケース処理を提供するよう構成される。
【００５８】
動作例２０
いくつかの実施例に従えば、提供する（１８）ことにおいて、基地局４０１はさらに、少なくとも１つの他のユーザ機器に対して、時間と周波数のＯＦＤＭグリッドに従って基準信号を送信する（２０）よう構成される。ここで、そのＤＭＲＳパターンは、ＣＲＳパターンに対して用いられることが意図される資源要素でパンクチャーされる。そのような資源要素はＣＲＳパターンを含むと良い。無線回路４１０は、少なくとも１つの他のユーザ機器に対して、時間と周波数のＯＦＤＭグリッドに従って基準信号を送信するよう構成される。従って、そのエラーケース処理は、動作例１８、２０の送信を含み、動作例１８、２０の送信は、ユーザ機器間での干渉を低減するために用いられる。
【００５９】
動作例２２
いくつかの実施例に従えば、提供する（１８）ことには、ＣＲＳパターンがＬ１／Ｌ２制御領域においてＯＦＤＭグリッドの全ての物理資源ブロックに存在することを想定するために、少なくとも１つの他のユーザ機器を構成設定する（２２）ことを含む。処理回路４２０は、ＣＲＳパターンがＬ１／Ｌ２制御領域においてＯＦＤＭグリッドの全ての物理資源ブロックに存在することを想定するために、少なくとも１つの他のユーザ機器を構成設定する。
【００６０】
動作例２４
いくつかの実施例に従えば、提供する（１８）ことと構成設定する（２２）ことにはさらに、少なくとも１つの他のユーザ機器に対して、時間と周波数のＯＦＤＭグリッドに従って基準信号を送信する（２４）ことを含む。そのＯＦＤＭグリッドは、少なくとも１つの他のユーザ機器に対する物理ダウンリンク共用制御チャネルでの送信のために割当てられた物理資源ブロックにのみ配置されるＬ１／Ｌ２制御領域の外側にあるＣＲＳパターンを含む。無線回路４１０は、少なくとも１つの他のユーザ機器に対して、時間と周波数のＯＦＤＭグリッドに従って基準信号を送信するよう構成される。
【００６１】
図１０はいくつかの実施例に従う、基地局により提供される基準信号の分析の間に、図８の基地局によりなされる動作例を示すフローチャートである。
【００６２】
図１０は太い実線で図示された幾つかの動作と細い一点鎖線で図示された幾つかの動作とを含むことを認識されたい。太い実線に含まれる動作は最も広い実施例に含まれる動作である。細い一点鎖線で図示された動作は、実線で記した実施例の動作に含まれる実施例、又は、実線で記した実施例の動作の一部に含まれる実施例、又は、実線で記した実施例の動作に更に加えてなされる動作である。これらの動作は必ずしも順番に実行される必要はないことを認識するべきである。さらにその上、それら動作の全てが実行される必要はないことを認識するべきである。動作は例は任意の順番で、又は、任意の組み合わせで実行可能である。
【００６３】
動作３０
ユーザ機器５０５は、基地局４０１から、６：６：２のタイミング比をもつ特別なサブフレーム構成を特徴にする時間と周波数のＯＦＤＭグリッドに従って、ＤＭＲＳフォーマットで、基準信号を受信するよう構成される。その比は、ＤｗＰＴＳ：ＧＰ：ＵｐＰＴＳとして表現される。ＤＭＲＳパターンは、４つの時間と周波数のＯＦＤＭ資源の間に拡げられる。無線回路５１０は、基地局４０１から、６：６：２のタイミング比をもつ特別なサブフレーム構成を特徴にする時間と周波数のＯＦＤＭグリッドに従って、ＤＭＲＳフォーマットで、基準信号を受信するよう構成される。
【００６４】
いくつかの実施例に従えば、ダウンリンクサブフレームの数は、最大で６つである。いくつかの実施例に従えば、ＤＭＲＳパターンは、最新の４つの時間と周波数のＯＦＤＭ資源に拡げられている。
【００６５】
いくつかの実施例に従えば、送信フォーマットがまたＣＲＳベースのフォーマットでもある場合、ＯＦＤＭグリッドはさらに、少なくとも１つの指定された時間と周波数のＯＦＤＭ資源に配置されるパンクチャーしたＣＲＳパターンを有する。いくつかの実施例に従えば、少なくとも１つの指定された時間と周波数のＯＦＤＭ資源は、最初の２つ、又は、最初の１つの時間と周波数のＯＦＤＭ資源である。いくつかの実施例に従えば、そのパンクチャーしたＣＲＳパターンは、ガード期間と、アップリンクパイロット時間スロットと、物理ダウンリンク共用チャネル領域との内の少なくともいずれかの範囲内に配置される。例えば、図４Ｂ〜６Ｂに図示されているように、ＣＲＳパターンは最初の２つのシンボルの中だけに配置される。いくつかの実施例に従えば、ユーザ機器５０５は、例えば、基地局４０１によって提供される命令又は制御信号を介して、ＣＲＳベースの送信に対して構成される。
【００６６】
いくつかの実施例に従えば、ＤＭＲＳパターンは、ＣＲＳパターンに対して用いられることが意図される資源要素でパンクチャーする。その資源要素は時間と周波数のＯＦＤＭグリッドにおいてＣＲＳパターンを含む。
【００６７】
動作例３２
いくつかの実施例に従えば、ユーザ機器５０５はさらに、ＣＲＳパターンがＬ１／Ｌ２制御領域においてＯＦＤＭグリッドの全ての物理資源ブロックに存在することを想定するために、内部構成設定を提供する（３２）よう構成される。その時間と周波数のＯＦＤＭグリッドは、物理ダウンリンク共用制御チャネルでの送信のために割当てられた物理資源ブロックにのみ配置されるＬ１／Ｌ２制御領域の外側にＣＲＳを有する。処理回路５２０は、ＣＲＳパターンがＬ１／Ｌ２制御領域においてＯＦＤＭグリッドの全ての物理資源ブロックに存在することを想定するために、内部構成設定を提供するよう構成される。そのような提供は、例えば、基地局４０１によって提供される命令又は制御信号を介して実施されると良い。
【００６８】
ここで提供した実施例の説明は例示目的で呈示されたものである。その説明は網羅的であったり、又は、実施例を開示された正確な形式へと限定することが意図されているものではなく、上述の教示の観点から変形や変更が可能であったり、又は、その変形や変更は提供された実施例に対して種々の代替案の実施から得ることができる。ここで検討された例は、種々の実施例とその実際の適用の原理や性質を説明し、当業者が種々の方法で、また、意図された特定の使用に適切であるように種々の変更を行いつつ、その実施例を利用することができるために、選択され説明されたものである。ここで説明した実施例の特徴は、方法と装置とモジュールとシステムとコンピュータプログラム製品との可能性のある全ての組み合わせで組み合わせても良い。ここで呈示した実施例は互いのいかような組み合わせでも実施可能であることを認識されたい。
【００６９】
なお、用語“有する”はこの明細書にリストされたもの以外の要素や工程の存在を必ずしも排除するものではく、要素に先行する“ａ”又は“ａｎ”はそのような要素が複数、存在することを排除するものではない。またさらに、どんな参照記号も請求項の範囲を限定するものではなく、実施例が少なくともその一部がハードウェアとソフトウェアの両方により実施されても良く、いくつかの“手段”、“ユニット”又は“デバイス”がハードウェアの同じ項目によって表現されても良い。
【００７０】
また、ユーザ機器のような用語は非限定的なものとして考えられるべきものである。その用語がこの明細書で用いられるようなデバイス又はユーザ機器は、インターネット／イントラネットアクセスと、ウェブブラウザと、電子手帳と、カレンダーと、カメラ（例えば、ビデオカメラと静止画カメラとの内の少なくともいずれか）と、音声記録（例えば、マイク）と、全球測位システム（ＧＰＳ）受信器との内の少なくともいずれかの能力を備えた無線電話、セルラ無線電話とデータ処理とを組み合わせたパーソナル通信システム（ＰＣＳ）、無線電話又は無線通信システムを含む情報携帯端末（ＰＤＡ）と、ラップトップ、通信機能を備えたカメラ（例えば、ビデオカメラと静止画カメラとの内の少なくともいずれか）と、パーソナルコンピュータとホームエンタテーメントシステムとテレビなどのような送受信することが可能な何らかの計算又は通信デバイスを含むように広く解釈されるべきものである。なお、ユーザ機器という用語は任意の数の接続されたデバイスをも有するものでも良いことが認識されるべきものである。
【００７１】
ここで説明した種々の実施例は、一側面からすれば、プログラムコードのようなコンピュータで実行可能な命令を含むコンピュータ可読媒体において具現化され、ネットワーク環境における複数のコンピュータにより実行される、コンピュータプログラム製品により実施されても良い、方法のステップや処理の一般的な環境において説明した。そのコンピュータ可読媒体は、読出専用メモリ（ＲＯＭ）、ランダムアクセスメモリ（ＲＡＭ）、コンパクトディスク（ＣＤ）、デジタル多目的ディスク（ＤＶＤ）などに限定される訳ではないが、これらを含む取り外し可能な、また、固定的な記憶デバイスを含む。一般には、プログラムモジュールは、特定のタスクを実行したり、又は、特定のアブストラクトデータタイプを実装する、ルーチン、プログラム、オブジェクト、コンポーネント、データ構造などを含む。コンピュータで実行可能な命令、関連するデータ構造、及び、プログラムモジュールは、ここで開示した方法のステップを実行するためのプログラムコードの例を表わしている。そのような実行可能命令や関連するデータ構造の特定のシーケンスは、そのようなステップや処理で説明した機能を実装するための対応する動作の例を表わしている。
【００７２】
添付図面や明細書では代表的な実施例について開示した。しかしながら、数多くの変型や変更がこれらの実施例に対して可能である。従って、具体的な用語を用いて説明がなされているが、これらは一般的で説明を行う意味だけにおいて用いられているものであり、発明を限定するために用いられているものではない。これらの実施例の範囲は、次の請求の範囲によって規定されるものである。
【図１】
0006010218.tif 000002
【図２】
0006010218.tif 000003
【図３Ａ】
0006010218.tif 000004
【図３Ｂ】
0006010218.tif 000005
【図４Ａ】
0006010218.tif 000006
【図４Ｂ】
0006010218.tif 000007
【図５Ａ】
0006010218.tif 000008
【図５Ｂ】
0006010218.tif 000009
【図６Ａ】
0006010218.tif 000010
【図６Ｂ】
0006010218.tif 000011
【図７】
0006010218.tif 000012
【図８】
0006010218.tif 000013
【図９】
0006010218.tif 000014
【図１０】
0006010218.tif 000015